(57)【要約】【課題】  被写体である歌唱者によるパフォーマンスを、撮影者の意図に従って誘導できるような撮影システムを提供すること。【解決手段】  歌唱者の歌唱する様子を複数のカメラユニット１０ａ乃至１０ｆによって撮影している間、その歌唱者のパフォーマンスを支援するスクリプトをプロジェクタ３０を用いてスタジオ内に投射する。制御装置８０は、スクリプトを投射するスタジオ内における位置を撮影のスケジュールに従って移動させることにより、歌唱者の視線を所望の方向へ誘導する。【選択図】      図１
2006217366.tif 000002
【特許請求の範囲】
【請求項１】
被写体となる人物を撮影して動画像データを生成する撮影手段と、
前記人物のパフォーマンスを支援するスクリプトを夫々表す複数の映像データを、それら各映像データが映像として投射されるべき方向を指示する方向指示情報と各々対応付けて記憶した記憶手段と、
前記記憶手段に記憶された一連の映像データを順次読み出し、読み出した映像データが表す映像を投射する投射手段と、
前記投射手段が映像を投射する際、その映像を表す映像データと対応付けて前記記憶手段に記憶された方向指示情報が指示する方向に合わせて当該投射手段の投射方向を制御する投射方向制御手段と、
前記撮影手段によって生成された動画像データを出力する出力手段と
を備えた撮影システム。
【請求項２】
請求項１に記載の撮影システムにおいて、
前記記憶手段は、
前記撮影手段のズーム率を示すズーム制御情報を前記各映像データと各々対応付けて記憶し、
前記投射手段が映像を投射する際、その映像を表す映像データと対応付けて前記記憶手段に記憶されたズーム制御情報に応じて前記撮影手段のズームを制御するズーム制御手段
を更に備えた撮影システム。
【請求項３】
請求項１又は２に記載の撮影システムにおいて、
複数の前記撮影手段と、
当該複数の撮影手段のうち、プライオリティを与える撮影手段の遷移を示すスイッチング制御情報を記憶したスイッチング情報記憶手段と、
前記スイッチング情報記憶手段に記憶されたスイッチング制御情報に基づいてプライオリティを与える撮影手段を順次選択し、選択した撮影手段によって生成される動映像データを前記出力手段を介して出力させるスイッチング制御手段と
を更に備えた撮影システム。
【発明の詳細な説明】
【技術分野】
【０００１】
本発明は、歌唱者の撮影を支援する技術に関する。
【背景技術】
【０００２】
放送業界やエンターテイメント業界などでは、歌唱者がコンサートやライブなどで歌唱する様子を魅力ある映像作品にするための種々の試みがなされてきた。この種の試みをサポートしうる技術を開示した文献として、例えば特許文献１がある。同文献に開示された画像印刷装置は、被写体となる人物を複数の角度から個別に撮影して得た画像を好適に合成してから出力できるようになっている。
【特許文献１】特開２００３−３２４６７２号公報
【発明の開示】
【発明が解決しようとする課題】
【０００３】
ところで、コンサートやライブの撮影は、その会場内に複数台のカメラを設置して行われるのが一般的である。複数台のカメラをスイッチングしつつ様々なアングルから歌唱者を撮影することによってはじめて、臨場感のある映像作品を創り出すことが可能となるからである。そして、この種の撮影に用いられるカメラには、自機に撮影のプライオリティが与えられていることを被写体に知らせるためのランプが夫々搭載されており、歌唱者は、ランプが点灯しているカメラに自らの顔を向けて歌唱するといったような、撮影者側のカメラワークを意識したパフォーマンスを行うことができる。
しかしながら、このような従来技術によると、歌唱者の視線は点灯中のランプに常に注視されてしまうことになり、例えば、あるカメラによって歌唱者の横顔を撮影したいといった撮影者側の意図を歌唱者に伝えることができず、歌唱者のパフォーマンスを誘導する仕組みとしては不十分であった。
本発明は、このような背景の下に案出されたものであり、被写体である歌唱者によるパフォーマンスを、その撮影者の意図に従って誘導できるような撮影システムを提供することを目的とする。
【課題を解決するための手段】
【０００４】
本発明の好適な態様である撮影システムは、被写体となる人物を撮影して動画像データを生成する撮影手段と、前記人物のパフォーマンスを支援するスクリプトを夫々表す複数の映像データを、それら各映像データが映像として投射されるべき方向を指示する方向指示情報と各々対応付けて記憶した記憶手段と、前記記憶手段に記憶された一連の映像データを順次読み出し、読み出した映像データが表す映像を投射する投射手段と、前記投射手段が映像を投射する際、その映像を表す映像データと対応付けて前記記憶手段に記憶された方向指示情報が指示する方向に合わせて当該投射手段の投射方向を制御する投射方向制御手段と、前記撮影手段によって生成された動画像データを出力する出力手段とを備える。
【０００５】
この態様において、前記記憶手段は、前記撮影手段のズーム率を示すズーム制御情報を前記各映像データと各々対応付けて記憶し、前記投射手段が映像を投射する際、その映像を表す映像データと対応付けて前記記憶手段に記憶されたズーム制御情報に応じて前記撮影手段のズームを制御するズーム制御手段を備えてもよい。
【０００６】
また、複数の前記撮影手段と、当該複数の撮影手段のうち、プライオリティを与える撮影手段の遷移を示すスイッチング制御情報を記憶したスイッチング情報記憶手段と、前記スイッチング情報記憶手段に記憶されたスイッチング制御情報に基づいてプライオリティを与える撮影手段を順次選択し、選択した撮影手段によって生成される動映像データを前記出力手段を介して出力させるスイッチング制御手段とを更に備えてもよい。
【発明の効果】
【０００７】
本発明によると、被写体である歌唱者によるパフォーマンスを、その撮影者の意図に従って誘導することができる。
【発明を実施するための最良の形態】
【０００８】
（発明の実施の形態）
本願発明の実施形態について説明する。本実施形態にかかる撮影システムは、以下に示す３つの特徴を有している。１つ目の特徴は、スタジオ内にて歌唱する歌唱者を複数台の撮影用カメラにより撮影し、その様子を動画像データとしてＤＶＤ（Digital Video Disc）に記録するサービスを提供する点である。２つ目の特徴は、歌唱者の撮影を行っている間、その歌唱者のパフォーマンスを支援するスクリプトをプロジェクタを用いてスタジオ内に投射するようにした点である。３つ目の特徴は、スクリプトを投射する位置を移動させることによって、歌唱者の視線を所望の方向へ誘導するようにした点である。
ここで、以降の説明で用いる主要な用語を定義しておく。「スクリプト」とは、歌唱者が歌唱する楽曲の歌詞と歌唱者に行わせる動作の内容とを表す文字列を意味する。「画角」とは、カメラのフレームに映り込ませる範囲を意味する。「ズームアップ」とは画角を拡大させることを意味し、「ズームダウン」とは画角を縮小させることを意味する。「ズーム率」とは、拡大又は縮小される画角の元の画角に対する比率を意味する。
【０００９】
図１は、本実施形態にかかる撮影システムの全体構成を示すブロック図である。図に示すように、このシステムは、カメラユニット１０ａ乃至１０ｆ（以下、個別のカメラユニットを指定しない場合は「カメラユニット１０」とする）、照明ライト２０、照明制御部２１、プロジェクタ３０、プロジェクタ制御装置３１、硬貨処理部４０、タッチパネル５０、操作パネル６０、スピーカ７０、録画装置７１、及び制御装置８０を備える。
【００１０】
本システムの構成要素であるカメラユニット１０ａ乃至１０ｆ、照明ライト２０、プロジェクタ３０、及びスピーカ７０は、概ね半球状の天井と筒状に湾曲された壁面とを備えたスタジオの内部に設置される。
図２は、スタジオの内部におけるカメラユニット１０、照明ライト２０、プロジェクタ３０、及びスピーカ７０の設置態様を表す図である。図に示すように、スタジオ内における天井７２と壁面７３との境界付近には、被写体である歌唱者を６つの視点から撮影し得る位置にカメラユニット１０が夫々設置されている。具体的には、歌唱者の立ち位置であるスタジオの中心から見て前方の位置にカメラユニット１０ａ、後方の位置にカメラユニット１０ｂ、左側方の位置にカメラユニット１０ｃ、右側方の位置にカメラユニット１０ｄ、左斜め前方の位置にカメラユニット１０ｅ、右斜め前方の位置にカメラユニット１０ｆが設置される。これらの各カメラユニット１０には、各々を固有に識別するカメラ番号が割り振られている。また、スタジオの床面７４における所定の位置には照明ライト２０とスピーカ７０が設置される。更に、天井７２の中心付近から垂下された支持棒７５の下端には、プロジェクタ３０が左右へ回転自在に接続されている。
【００１１】
本システムの構成について更に詳述する。
図１に示すプロジェクタ３０は、制御装置８０から供給される映像データを映像として投射する。
プロジェクタ制御装置３１は、プロジェクタ３０が映像を投射する投射方向を制御装置８０からの指示に応じて制御する。また、照明制御部２１は、照明ライト２０における光の強さやその照射方向を制御装置８０からの指示に応じて制御する。
【００１２】
タッチパネル５０及び操作パネル６０は、制御装置８０に対する各種入力を行なうための操作子である。
硬貨処理部４０は、図示しない硬貨投入口への硬貨の投入を検出する。本実施形態においては、歌唱者が硬貨投入口へ硬貨を投入するたびにサービスが提供されることになっている。
カメラユニット１０ａ乃至１０ｆの各々は、図３に示すように、撮影用カメラ１１とズーム／角度制御機構１２とを内蔵している。ズーム／角度制御機構１２は、制御装置８０からの指示に応じて撮影用カメラ１１の画角と撮影の角度とを制御する。
【００１３】
図４は、制御装置８０の内部構成を示すブロック図である。図に示すように、この装置８０は、各種制御を行うＣＰＵ８１、ＣＰＵ８１にワークエリアを提供するＲＡＭ８２、ＩＰＬ（initial program loader）を記憶したＲＯＭ８３、外部の各装置との間で各種データの入出力を行う入出力インターフェース８４のほか、ハードディスク８５を備える。そして、ハードディスク８５は、楽曲データベース８５ａと基準画角データベース８５ｂを記憶する。
【００１４】
楽曲データベース８５ａには、各々が１つの楽曲と対応する複数の撮影支援シーケンスデータが蓄積されている。
図５は、撮影支援シーケンスデータのデータ構造図である。図に示すように、撮影支援シーケンスデータは、タイムコードトラック９１、伴奏データトラック９２、照明制御トラック９３、カメラスイッチング制御トラック９４、ズーム／角度制御トラック９５、映像データトラック９６、プロジェクタ制御トラック９７の７つのトラックを有している。これら７つのうちタイムコードトラック９１には、楽曲の開始からの経過時間を示すタイムコードが離散的に記録されており、残りの６つのトラックには、タイムコードトラック９１の各タイムコードが示す経過時間に応じた各種制御内容を表すデータが夫々記録されている。
【００１５】
各トラックについて詳述すると、まず、伴奏データトラック９２には、伴奏曲として再生されるオーディオデータが記録される。
照明制御トラック９３には、照明制御情報が記録される。照明制御情報は、照明ライト２０による光の強さやその照射方向を指示する情報である。
カメラスイッチング制御トラック９４には、スイッチング制御情報が記録される。スイッチング制御情報は、撮影のプライオリティを与えるカメラユニット１０の順序をカメラ番号の遷移として表す情報である。歌唱者の撮影中は、このスイッチング制御情報によってプライオリティを与えられたカメラユニット１０の動画像データが制御装置８０の入出力インターフェース８４を介して録画装置７１へ順次出力される。
ズーム／角度制御トラック９５には、ズーム／角度制御情報が記録される。ズーム／角度制御情報は、プライオリティを与えられたカメラユニット１０のズーム率と撮影の角度とを指示する情報である。撮影の角度は、各カメラユニット１０ａ乃至１０ｆから見てスタジオの中心の方向を「０度」として特定される。
映像データトラック９６には、スクリプトの映像を表す一連の映像データが記録される。
プロジェクタ制御トラック９７には、投射方向指示情報が記録される。投射方向指示情報は、プロジェクタ３０の投射方向を指示する情報である。プロジェクタ３０の投射方向は、プロジェクタ３０の設置位置であるスタジオの中心から見て前方を「０度」として特定される。
【００１６】
ここで、プロジェクタ制御トラック９７に記録される投射方向指示情報は、カメラスイッチング制御トラック９４及びズーム／角度制御トラック９５によって定められた撮影のスケジュールを反映させた内容となっている。
例えば、カメラスイッチング制御トラック９４のスケジュール制御情報が、ある時間帯における撮影のプライオリティを歌唱者の前面にあるカメラユニット１０ａに与えるような内容となっている場合を想定する。この時間帯において、カメラユニット１０ａによって歌唱者を正面から撮影するのであれば、歌唱者の正面の方向への投射を指示する投射方向指示情報をプロジェクタ制御トラック９７に記録させておく。これにより、歌唱者の顔の向きを正面に誘導することができる。歌唱者は、自らのパフォーマンスを支援するスクリプトの映像を常に注視するためである。
また、その後に到来する別の時間帯において、カメラユニット１０ａによって歌唱者の横顔を撮影するのであれば、歌唱者の右側方又は左側方の方向への投射を指示する投射方向指示情報をプロジェクタ制御トラック９７に記録させておく。これにより、歌唱者の顔の向きを正面から右側方又は左側方へと誘導することができる。
【００１７】
図６は、基準画角データベース８５ｂのデータ構造図である。このデータベース８５ｂは、歌唱者の人数と身長の各組合せと基準画角とを対応付けてなる。「基準画角」とは、カメラユニット１０ａ乃至１０ｆの撮影用カメラ１１をズームアップ及びズームダウンさせる際の基準となる画角を意味する。後の動作説明の項にて詳述するように、本実施形態では、撮影支援シーケンスデータのズーム／角度制御トラック９５に記録されたズーム／角度制御情報に従って撮影用カメラ１１のズームアップ及びズームダウンが制御される。一方、歌唱者の全身、或いは顔などの身体の一部を収めるのに最適な画角は、被写体となる歌唱者の人数や身長に概ね比例して大きくなる。そこで、本実施形態では、歌唱者の全身を収めるのに最適な画角を歌唱者の人数及び身長の主要な組合せ毎に予め計測してデータベース化し、データベースから選択された画角を基準として、ズームアップ時における拡大後の画角の大きさやズームダウン時における縮小後の画角の大きさを演算することとしている。
【００１８】
このデータベース８５ｂを構成する１つのレコードは、「人数」、「身長」、及び「基準画角」の３つのフィールドを有しており、「基準画角」のフィールドは、「カメラ１」乃至「カメラ６」の６つのフィールドに分かれている。
そして、「人数」のフィールドには、歌唱者の人数を表す情報が記憶され、「身長」のフィールドには、歌唱者の身長を１センチ刻みで夫々表す情報が記憶される。また、「基準画角」のフィールドには、各カメラユニット１０毎の基準画角の大きさを表す基準画角情報が記憶される。
図１に示す録画装置７１は、制御装置８０の入出力インターフェース８４を介して出力される動画像データを記憶媒体であるＤＶＤに順次記録する。
【００１９】
次に、本実施形態の動作を説明する。
本実施形態の動作は、撮影準備処理と撮影処理とに分けることができる。
図７は、撮影準備処理を示すフローチャートである。図に示す処理は、硬貨投入口へ硬貨が投入されたことを示す信号が硬貨処理部４０から制御装置８０へ伝送されると開始される。
【００２０】
硬貨処理部４０から信号を取得した制御装置８０のＣＰＵ８１は、楽曲選択要求映像の映像データをプロジェクタ３０へ出力する（Ｓ１００）。
映像データの供給を受けたプロジェクタ３０は、楽曲選択要求映像をスタジオの壁面７３における所定の位置に投射する。この映像は、楽曲データベース８５ａに撮影支援シーケンスデータが蓄積されている各楽曲の曲目を列記したリストと、「リスト上の楽曲を選んでください。」という文字列とを表すものとなっている。
投射された映像を参照した演奏者は、リスト上の楽曲の１つをタッチパネル５０を用いて選択する。
楽曲が選択されると、制御装置８０のＣＰＵ８１は、選択された楽曲の撮影支援シーケンスデータを楽曲データベース８５ａからＲＡＭ８２へ読み出す（Ｓ１１０）。
【００２１】
続いて、ＣＰＵ８１は、人数入力要求映像の映像データをプロジェクタ３０へ出力する（Ｓ１２０）。
映像データの供給を受けたプロジェクタ３０は、「歌う人の人数を入力してください。」という文字列を表す人数入力要求映像をスタジオの壁面７３における所定の位置に投射する。
投射された映像を参照した歌唱者は、サービスを利用する歌唱者の人数をタッチパネル５０を用いて入力する。
制御装置８０のＣＰＵ８１は、入力された人数をＲＡＭ８２に記憶する（Ｓ１３０）。
【００２２】
ＣＰＵ８１は、身長入力要求映像の映像データをプロジェクタ３０へ出力する（Ｓ１４０）。
映像データの供給を受けたプロジェクタ３０は、「身長を入力してください。」という文字列を表す身長入力要求映像をスタジオの壁面７３における所定の位置に投射する。
投射された映像を参照した歌唱者は、自身の身長をタッチパネル５０を用いて入力する。複数の歌唱者が参加する場合は、それらのうち最も高い身長を入力する。
制御装置８０のＣＰＵ８１は、入力された身長をＲＡＭ８２に記憶する（Ｓ１５０）。
【００２３】
ＣＰＵ８１は、ステップ１３０で記憶した人数とステップ１５０で記憶した身長の組合せと対応するレコードを基準画角データベース８５ｂから特定する（Ｓ１６０）。
続いて、ＣＰＵ８１は、スタジオ内に設置された６つのカメラユニット１０ａ乃至１０ｆのうち、画角調整の対象とする１つのカメラユニット１０を特定する（Ｓ１７０）。
更に、ＣＰＵ８１は、ステップ１６０で特定したレコードの「基準画角」のフィールドに記憶されている６つの基準画角情報のうち、ステップ１７０で特定したカメラユニット１０と対応付けられた基準画角情報を読み出し、その基準画角情報が示す画角での撮影を指示するメッセージをステップ１７０で特定したカメラユニット１０へ出力する（Ｓ１８０）。
【００２４】
メッセージを取得したカメラユニット１０のズーム／角度制御機構１２は、そのメッセージによる指示に合せて撮影用カメラ１１の画角を制御する。すると、基準画角情報が示す画角で歌唱者を撮影して得られた映像データが、カメラユニット１０から制御装置８０を経由してプロジェクタ３０に供給され、プロジェクタ３０から映像として投射される。
投射された映像を参照した歌唱者は、自らの全身が良好に撮影されているか、つまり、身体の一部がフレームからはみだしていたり又はフレームよりも小さすぎていないかを判断する。
【００２５】
自らの全身が良好に撮影されていると判断した歌唱者は、タッチパネル５０を用いて基準画角の確定を指示する。一方、自らの全身が良好に撮影されていないと判断した歌唱者は、操作パネル６０を用いて画角を微調整した後、基準画角の確定を指示する。
基準画角の確定が指示されると、制御装置８０のＣＰＵ８１は、基準画角の確定を指示するメッセージをステップ１７０で特定したカメラユニット１０ａ乃至１０ｆへ出力する（Ｓ１９０）。
【００２６】
メッセージを取得したカメラユニット１０ａ乃至１０ｆのズーム／角度制御機構１２は、歌唱者によって確定された画角を撮影用カメラ１１における基準画角として自身に設定する。
基準画角の確定を指示するメッセージを出力したＣＰＵ８１は、ステップ１７０に戻り、他のカメラユニット１０を画角調整の対象として特定した後、以降の処理を繰返す。
６つのカメラユニット１０ａ乃至１０ｆの全てのズーム／角度制御機構１２に基準画角が設定されると、撮影準備処理が終了となる。
【００２７】
図８は、撮影処理を示すフローチャートである。図に示す一連の処理は、撮影準備処理のステップ１１０でＲＡＭ８２に読み出した撮影支援シーケンスデータの各トラックの記憶内容に応じて順次実行される。即ち、制御装置８０のＣＰＵ８１は、撮影支援シーケンスデータの各トラックの冒頭に記録されているデータを基に図８に示す各処理を実行した後、所定の時間長が経過する毎に参照する領域をトラックの後方に順次シフトさせつつそれら一連の処理を繰返す。
【００２８】
図に示すステップ２００において、制御装置８０のＣＰＵ８１は、撮影支援シーケンスデータの伴奏トラックから読み出したオーディオデータを楽音信号としてスピーカ７０へ出力する。これにより、スピーカ７０からは、伴奏音が放音される。
【００２９】
ＣＰＵ８１は、撮影支援シーケンスデータのプロジェクタ制御トラック９７から読み出した投射方向指示情報に応じた駆動を指示する投射方向制御メッセージをプロジェクタ制御装置３１へ出力する（Ｓ２１０）。
投射方向制御メッセージを取得したプロジェクタ制御装置３１は、そのメッセージが指示する方向に合わせてプロジェクタ３０の投射方向を制御する。
【００３０】
更に、ＣＰＵ８１は、撮影支援シーケンスデータの映像データトラック９６から読み出した映像データをプロジェクタ３０に出力する（Ｓ２２０）。
映像データの供給を受けたプロジェクタ３０は、その映像データが示すスクリプトの映像をプロジェクタ制御装置３１によって制御された投射方向へ投射する。
図９は、スクリプトの映像が投射された状態を示す図である。図の例では、スタジオの壁面７３における歌唱者の前方の位置にスクリプトの映像７６が投射されている。歌唱者は、自らのパフォーマンスを支援するスクリプトの映像を常に注視するため、歌唱者の視線は映像７６の照射されている方向に誘導されることになる。
【００３１】
ＣＰＵ８１は、撮影支援シーケンスデータの照明制御トラック９３から読み出した照明制御情報に応じた駆動を指示する照明制御メッセージを照明制御部２１へ出力する（Ｓ２３０）。
照射制御メッセージを取得した照明制御部２１は、そのメッセージを解釈した結果に応じて照明ライト２０による光の強さ及びその投射方向を制御する。
【００３２】
ＣＰＵ８１は、撮影支援シーケンスデータのカメラスイッチング制御トラック９４から読み出したスイッチング制御情報を基に、プライオリティを与えるカメラユニット１０を特定する（Ｓ２４０）。
更に、ＣＰＵ８１は、撮影支援シーケンスデータのズーム／角度制御トラック９５から読み出したズーム／角度制御情報に応じた駆動を指示する撮影制御メッセージをステップ２４０で特定したカメラユニット１０へ出力する（Ｓ２５０）。
撮影制御メッセージには、カメラユニット１０のズーム率を指定する情報と撮影の角度を指定する情報とが内包されている。撮影制御メッセージを取得したカメラユニット１０のズーム／角度制御機構１２は、そのメッセージが指定するズーム率と自身に設定しておいた基準画角とを基に演算した新たな画角へと撮影用カメラ１１をズームアップ又はズームダウンさせる。また、撮影制御メッセージが指定する角度に合わせて撮影用カメラ１１の撮影の方向を左右に回転させる。これにより、ズーム／角度制御情報の内容に応じた画角及び角度で歌唱者を撮影して得られた動画像データが入出力インターフェース８４を介して録画装置７１へ出力され、出力された動画像データが録画装置７１によってＤＶＤへ順次記録される。
以上説明した一連の処理が、撮影支援シーケンスデータの各トラックからデータが読み出されるたびに繰返される。歌唱者による楽曲の歌唱が終了すると、それまでの歌唱の様子を記録したＤＶＤが録画装置７１から搬出され歌唱者に渡される。
【００３３】
以上説明した本実施形態では、スタジオ内において歌唱者を撮影している間、歌唱者のパフォーマンスを支援するスクリプトが映像として投射されるようになっており、そのスクリプトの映像を投射する位置は、撮影支援シーケンスデータのプロジェクタ制御トラック９７の記録内容に応じて移動するようになっている。従って、このプロジェクタ制御トラック９７の記録内容を撮影のスケジュールに合わせた内容として準備しておくことにより、撮影者のカメラワークにマッチするような向きへと歌唱者の顔の向きを誘導することができる。また、プロジェクタ３０の映像を投射する壁面７３は筒状に湾曲された構造となっているため、その投射方向が左右の何れの方向に移動した場合でも、スクリプトが歪んで歌唱者に見えにくくなるという事態を回避できる。
【００３４】
（他の実施形態）
本実施形態は、種々の変形実施が可能である。
上記実施形態において、プロジェクタ３０の投射方向は、撮影支援シーケンスデータのプロジェクタ制御トラック９７の記録内容に応じて左右方向へ移動するようになっていた。これに対し、プロジェクタ３０の仰俯角をプロジェクタ制御トラック９７に記録しておくことにより、プロジェクタ３０の投射方向を左右だけでなく上下に移動させるようにしてもよい。
【００３５】
上記実施形態において、録画装置７１は、制御装置８０から供給される動画像データをＤＶＤに記録するようになってたが、ハードディスクやＶＴＲ（Video Tape Recorder）といった他の記録媒体に記録してもよい。また、記録媒体への記録を行うことなく、プライオリティを与えたカメラユニット１０が生成した動画像データを入出力インターフェース８４を介してリアルタイムに配信するようにしてもよい。
【００３６】
上記実施形態では、被写体である演奏者を６つのカメラユニット１０によって撮影していたが、スタジオ内に設置するカメラユニット１０をこれより多くしてもよいし、反対に少なくしてもよい。また、上記実施形態では、複数台のカメラユニット１０をスタジオ内に設置するようになっていたが、このような閉ざされた空間ではなく、野外などにスクリプトの映像を投射させるスクリーンを設置し、本システムを稼動させてもよい。
【００３７】
上記実施形態において、カメラユニット１０に内蔵されたズーム／角度制御機構１２は、被写体である一又は複数の歌唱者の全身を収めるのに最適な画角を基準画角として自らに設定し、設定した基準画角を基にズームアップ及びズームダウンの制御を行っていた。これに対し、歌唱者の上半身や顔を収めるのに最適な画角を基準画角としてズームアップ及びズームダウンの制御を行なってももちろんよい。
【図面の簡単な説明】
【００３８】
【図１】撮影システムの全体構成図である。
【図２】スタジオの内部構成図である。
【図３】カメラユニットの内部構成図である。
【図４】制御装置の内部構成図である。
【図５】撮影支援シーケンスデータのデータ構造図である。
【図６】基準画角データベースのデータ構造図である。
【図７】撮影準備処理を示すフローチャートである。
【図８】撮影処理を示すフローチャートである。
【図９】スクリプトの映像が投射された状態を示す図である。
【符号の説明】
【００３９】
１０…カメラユニット、１１…撮影用カメラ、１２…ズーム／角度制御機構、２０…照明ライト、２１…照明制御部、３０…プロジェクタ、３１…プロジェクタ制御装置、４０…硬貨処理部、５０…タッチパネル、６０…操作パネル、７０…スピーカ、７１…録画装置、７２…天井、７３…壁面、７４…床面、７５…支持棒、７６…映像、８０…制御装置、８１…ＣＰＵ、８２…ＲＡＭ、８３…ＲＯＭ、８４…入出力インターフェース、８５…ハードディスク、９１…タイムコードトラック、９２…伴奏データトラック、９３…照明制御トラック、９４…カメラスイッチング制御トラック、９５…ズーム／角度制御トラック、９６…映像データトラック、９７…プロジェクタ制御トラック
【図１】
2006217366.tif 000003
【図２】
2006217366.tif 000004
【図３】
2006217366.tif 000005
【図４】
2006217366.tif 000006
【図５】
2006217366.tif 000007
【図６】
2006217366.tif 000008
【図７】
2006217366.tif 000009
【図８】
2006217366.tif 000010
【図９】
2006217366.tif 000011